(57)【要約】【課題】モジュール式乗り物車両のためのシステム及び方法。【解決手段】システムが、複数の乗り物車両モジュールを含み、複数の乗り物車両モジュールの各々が、他の乗り物車両モジュールに連結してクラスタを形成する連結動作と、他の乗り物車両モジュールから分離する切り離し動作とを乗り物全体を通じて実行するように構成された連動システムと、連動システムとそれぞれの乗り物車両モジュールの動きとを単独で又はクラスタの一部として制御するように構成された制御回路と、クラスタの内部及び／又は外部の他の乗り物車両モジュールと無線で通信するように構成された通信回路とを含む。クラスタは、連結及び切り離し動作を望む通りに実行することにより、乗り物全体を通じてサイズを変更することができる。乗り物全体を通じて乗り物車両モジュールのクラスタのサイズを変更する方法も開示する。【選択図】図１Ａ
2020110647.tif 000002
【特許請求の範囲】
【請求項１】
複数の乗り物車両モジュールを含むシステムであって、前記複数の乗り物車両モジュールの各々は、
他の乗り物車両モジュールに連結してクラスタを形成する連結動作及び前記他の乗り物車両モジュールから分離する切り離し動作を、乗り物全体を通じて実行するように構成された連動システムと、
前記連動システム及び前記乗り物車両モジュールのそれぞれの動きを単独で又は前記クラスタの一部として制御するように構成された制御回路と、
前記クラスタの内部及び／又は外部の前記他の乗り物車両モジュールと無線で通信するように構成された通信回路と、を備え、
前記クラスタは、前記連動システムを制御する前記複数の乗り物車両モジュールの各々の前記制御回路と、前記複数の乗り物車両モジュール間で前記動作を協調させる前記通信回路とを介して前記連結動作及び前記切り離し動作を要望通りに実行することにより、前記乗り物全体を通じてサイズを変更するように構成される、システム。
【請求項２】
前記複数の乗り物車両モジュールの少なくとも一部は、前記クラスタの表面において接続線が隠れるように連結されるように構成される、請求項１に記載のシステム。
【請求項３】
前記接続線は、パターン、影付け、窪み、照明、楔留め、重複材料、又はこれらの組み合わせを含む技術を用いて隠される、請求項２に記載のシステム。
【請求項４】
前記クラスタは、前記制御回路及び前記通信回路を利用して前記複数の乗り物車両モジュール間で動きを協調させることにより、統一乗り物車両として一体に動くように構成される、請求項１に記載のシステム。
【請求項５】
前記連動システムは、Ｔ字型ねじレールシステム、スライド式ロックシステム、ドロップピンコネクタ式ロックシステム、電磁ロックシステム、ボルトロックシステム、又はこれらの何らかの組み合わせを含む、請求項１に記載のシステム。
【請求項６】
前記複数の乗り物車両モジュールの各々は、前記乗り物車両モジュールのそれぞれを、前記乗り物全体を通じて固定軌道を伴わずに単独で及び／又は前記クラスタの一部として駆動するように協働する、駆動システム、牽引システム及びナビゲーションシステムを含む、請求項１に記載のシステム。
【請求項７】
前記複数の乗り物車両モジュールの各々は、前記乗り物車両モジュールのそれぞれを、前記乗り物内の異なる経路を通じて単独で及び／又は前記クラスタの一部として駆動するように協働する、駆動システム、牽引システム及びナビゲーションシステムを含む、請求項１に記載のシステム。
【請求項８】
前記複数の乗り物車両モジュールのうちの少なくとも１つの乗り物車両モジュールは、付属のモーションベースシステム及び車載シミュレータを含み、前記モーションベースシステムは、前記車載シミュレータのイベントと同期してピッチ、ロール、ヨー、サージ、ヒーブ及び／又はスウェイを行うように構成される、請求項１に記載のシステム。
【請求項９】
前記制御回路は、前記通信回路を介して、前記連結動作及び前記切り離し動作を実行するときに、前記乗り物車両モジュールのそれぞれの側面に取り付けられた複数のセンサを介して取得されたデータを利用して、前記乗り物車両モジュールを他の乗り物車両モジュールと同期的に動作させる、請求項１に記載のシステム。
【請求項１０】
前記複数の乗り物車両モジュールのうちの少なくとも１つの乗り物車両モジュールは、レーザー誘導式、有線誘導式、ジャイロスコープ式、又はこれらの何らかの組み合わせを含む技術を利用することによって前記乗り物内における前記少なくとも１つの乗り物車両モジュールの位置及び場所を追跡するように構成されたナビゲーションシステムを含む、請求項１に記載のシステム。
【請求項１１】
複数の乗り物車両モジュールを備えたシステムであって、前記複数の乗り物車両モジュールは、
各モジュール式乗り物車両の１又は複数の側面に取り付けられたいずれかの連動システムを介してクラスタの形で互いに同期して連結するように構成され、
前記クラスタ内の前記複数の乗り物車両モジュールは、車載制御回路及び通信回路を介して１つの統一乗り物車両として一体に動くとともに、乗り物全体を通じて他の乗り物車両モジュールを連結することにより又は既に連結された乗り物車両モジュールから分離することによりサイズを変更するように構成される、システム。
【請求項１２】
前記乗り物車両モジュールは、連結された乗り物車両モジュール間のあらゆる接続線が前記クラスタの表面上で隠れるように前記クラスタ内で途切れなく連結される、請求項１１に記載のシステム。
【請求項１３】
前記接続線は、パターン、影付け、窪み、照明、楔留め、重複材料、又はこれらの組み合わせを含む技術を用いて隠される、請求項１２に記載のシステム。
【請求項１４】
前記車載制御回路は、前記クラスタ内の１つの乗り物車両モジュールの自動化コントローラをマスターとして指定し、前記クラスタ内の他の乗り物車両モジュールの残りの自動化コントローラをスレーブとして指定することによって前記クラスタを１つの統一乗り物車両として動作させるように構成され、前記マスターは、前記通信回路を介して前記クラスタの制御に関する情報を前記スレーブに通信する、請求項１１に記載のシステム。
【請求項１５】
前記制御回路は、前記乗り物車両モジュールを単独で又は他の前記連結された乗り物車両モジュールと一体に前記クラスタの一部として、前記乗り物内の複数の経路に沿って走行するように動作させるよう構成される、請求項１１に記載のシステム。
【請求項１６】
前記複数の乗り物車両モジュールのうちの少なくとも１つの乗り物車両モジュールは、前記乗り物の経路に沿って配置されたモーションベースシステムに乗るように構成される、請求項１１に記載のシステム。
【請求項１７】
前記連動システムは、Ｔ字型ねじレールシステム、スライド式ロックシステム、ドロップピンコネクタ式ロックシステム、電磁ロックシステム、ボルトロックシステム、又はこれらの何らかの組み合わせを含む、請求項１１に記載のシステム。
【請求項１８】
制御回路を介して、乗り物全体を通じた乗り物車両モジュールの１又は複数のクラスタの所望のサイズを決定するステップと、
制御回路及び通信回路を介して、前記１又は複数のクラスタの前記サイズを設定するステップと、
前記乗り物車両モジュールの各々に取り付けられた連動システムを制御するように構成された制御回路と、前記乗り物車両モジュール間の通信を行うように構成された通信回路とを介して、前記乗り物全体を通じた前記１又は複数のクラスタの前記設定されたサイズに基づいて、前記連動システムを介して連結動作及び切り離し動作を実行するステップと、を含む方法。
【請求項１９】
前記乗り物車両モジュールの前記１又は複数のクラスタの前記サイズの前記決定は、前記乗り物内のシミュレーションの一部として発生するイベントに応答して行われ、前記乗り物車両モジュールの非一時的コンピュータ可読媒体に記憶されている前記クラスタサイズにアクセスすることを含む、請求項１８に記載の方法。
【請求項２０】
前記制御回路は、前記乗り物車両モジュールの各々の側面に取り付けられた少なくとも１つのセンサによって入力されたデータを処理し、これに応じて前記連動システムの連結又は切り離しを行う動作を、前記通信回路を介して前記乗り物車両モジュール間で協調させることにより、前記連動システムを介して前記連結動作及び切り離し動作を実行する、請求項１８に記載の方法。
【請求項２１】
前記１又は複数のクラスタは、前記１又は複数のクラスタのそれぞれ内の各関連する乗り物車両モジュールの動きを対応する制御回路及び通信回路を介して協調させることによって統一乗り物車両として一体に動作するように構成される、請求項１８に記載の方法。
【請求項２２】
前記１又は複数のクラスタは、前記乗り物内の異なる経路を進むように構成される、請求項１８に記載の方法。
【請求項２３】
前記１又は複数のクラスタは、前記乗り物車両モジュールの各々に取り付けられたナビゲーションシステムを利用することにより、前記乗り物全体を通じて固定軌道を伴わずに動くように構成される、請求項１８に記載の方法。
【発明の詳細な説明】
【背景技術】
【０００１】
一般に、遊園地、カーニバルなどにおける乗り物車両は、乗り物全体を通じて１人又は２人以上の乗客を安全に運ぶように利用される。特定の種類の乗り物のために設計される乗り物車両には数多くの種類が存在する。例えば、いくつかの例を挙げると、ジェットコースターは、乗り物車両が取り付けられて移動する軌道を含み、シミュレータは、乗り物車両をモーションベースシステムに取り付ける必要があるとともにシミュレーションディスプレイを含むことができ、ウォーターライドは、浮遊能力を有する乗り物車両を含むことができる。典型的な乗り物車両は、独立した異なる車両、又は連結された一体型乗り物車両（例えば、固定軌道上の車列）のいずれかを含む。
【発明の概要】
【課題を解決するための手段】
【０００２】
以下、当初の特許請求の範囲の主題と同一範囲のいくつかの実施形態を要約する。これらの実施形態は、本開示の範囲を制限するものではなく、むしろ開示するいくつかの実施形態の概要を示すものにすぎない。実際に、本開示は、以下に示す実施形態に類似することができる、又はそれとは異なることができる様々な形態を含むことができる。
【０００３】
本開示の１つの態様によれば、システムが、複数の乗り物車両モジュール(ride vehicle module)を含み、複数の乗り物車両モジュールの各々は、他の乗り物車両モジュールに連結してクラスタを形成する連結動作と、他の乗り物車両モジュールから分離する切り離し動作とを乗り物全体を通じて実行するように構成された連動システム(interlock system)と、連動システムとそれぞれの乗り物車両モジュールの動きとを単独で又はクラスタの一部として制御するように構成された制御回路と、クラスタの内部及び／又は外部の他の乗り物車両モジュールと無線で通信するように構成された通信回路とを含む。クラスタは、連動システムを制御する複数の乗り物車両モジュールの各々の制御回路と、複数の乗り物車両モジュール間で動作を協調させる通信回路とを介して連結動作及び切り離し動作を望む通りに実行することにより、乗り物全体を通じてサイズを変更するように構成される。
【０００４】
本開示の別の態様によれば、システムが、各モジュール式乗り物車両(modular ride vehicle)の１又は２以上の側面に取り付けられたいずれかの連動システムを介してクラスタの形で互いに同期して連結するように構成された複数の乗り物車両モジュールを含む。クラスタ内の複数の乗り物車両モジュールは、車載制御回路及び通信回路を介して１つの統一乗り物車両として一体に動くとともに、乗り物全体を通じて他の乗り物車両モジュールを連結し、又は既に連結されている乗り物車両モジュールから分離することによってサイズを変更するように構成される。
【０００５】
本開示の別の態様によれば、方法が、制御回路を介して、乗り物全体を通じた乗り物車両モジュールの１又は２以上のクラスタの所望のサイズを決定するステップと、制御回路及び通信回路を介して、１又は２以上のクラスタのサイズを設定するステップと、乗り物車両モジュールの各々に取り付けられた連動システムを制御するように構成された制御回路と、乗り物車両モジュール間の通信を行うように構成された通信回路とを介して、乗り物全体を通じた１又は２以上のクラスタの設定されたサイズに基づいて、連動システムを介して連結動作及び切り離し動作を実行するステップとを含む。
【０００６】
全体を通じて同じ部分を同じ符号によって示す添付図面を参照しながら以下の詳細な説明を読めば、本開示のこれらの及びその他の特徴、態様及び利点がより良く理解されるようになる。
【図面の簡単な説明】
【０００７】
【図１Ａ】本開示による、数多くの小さな乗り物車両モジュールに分離できる統一乗り物車両の実施形態の概略図である。
【図１Ｂ】本開示による、数多くの小さな乗り物車両モジュールに分離できる統一乗り物車両の実施形態の概略図である。
【図１Ｃ】本開示による、数多くの小さな乗り物車両モジュールに分離できる統一乗り物車両の実施形態の概略図である。
【図１Ｄ】本開示による、数多くの小さな乗り物車両モジュールに分離できる統一乗り物車両の実施形態の概略図である。
【図１Ｅ】本開示による、数多くの小さな乗り物車両モジュールに分離できる統一乗り物車両の実施形態の概略図である。
【図１Ｆ】本開示による、数多くの小さな乗り物車両モジュールに分離できる統一乗り物車両の実施形態の概略図である。
【図２】本開示による、連結されて統一乗り物車両として動作する数多くの乗り物車両モジュールの実施形態の斜視図である。
【図３】本開示による、乗り物車両回路のブロック図である。
【図４Ａ】本開示による、乗り物車両モジュール間の接続部を隠す実施形態の斜視図である。
【図４Ｂ】本開示による、乗り物車両モジュール間の接続部を隠す実施形態の斜視図である。
【図４Ｃ】本開示による、乗り物車両モジュール間の接続部を隠す実施形態の斜視図である。
【図４Ｄ】本開示による、乗り物車両モジュール間の接続部を隠す実施形態の斜視図である。
【図５Ａ】本開示による、連結動作中に利用される連動システムの実施形態の斜視図である。
【図５Ｂ】本開示による、連結動作中に利用される連動システムの実施形態の斜視図である。
【図５Ｃ】本開示による、連結動作中に利用される連動システムの実施形態の斜視図である。
【図５Ｄ】本開示による、連結動作中に利用される連動システムの実施形態の斜視図である。
【図５Ｅ】本開示による、連結動作中に利用される連動システムの実施形態の斜視図である。
【図５Ｆ】本開示による、連結動作中に利用される連動システムの実施形態の斜視図である。
【図５Ｇ】本開示による、連結動作中に利用される連動システムの実施形態の斜視図である。
【図５Ｈ】本開示による、連結動作中に利用される連動システムの実施形態の斜視図である。
【図６Ａ】本開示による、飛行機型乗り物車両及びその切り離し機能の実施形態の斜視図である。
【図６Ｂ】本開示による、飛行機型乗り物車両及びその切り離し機能の実施形態の斜視図である。
【図７Ａ】本開示による、映画館型乗り物車両及びその切り離し機能の実施形態の斜視図である。
【図７Ｂ】本開示による、映画館型乗り物車両及びその切り離し機能の実施形態の斜視図である。
【図８Ａ】本開示による、乗り物の途中で連結及び切り離し動作を実行することによってクラスタサイズを構成する乗り物車両モジュールの実施形態の上面図である。
【図８Ｂ】本開示による、乗り物の途中で連結及び切り離し動作を実行することによってクラスタサイズを構成する乗り物車両モジュールの実施形態の上面図である。
【図８Ｃ】本開示による、乗り物の途中で連結及び切り離し動作を実行することによってクラスタサイズを構成する乗り物車両モジュールの実施形態の上面図である。
【図９】本開示による、乗り物の途中で乗り物車両のクラスタサイズを構成する処理である。
【発明を実施するための形態】
【０００８】
開示する実施形態は、乗り物の途中で連結及び切り離し動作を実行することによって複数の乗り物車両モジュールのクラスタサイズを構成するシステム及び方法に関する。クラスタ化された乗り物車両モジュールは、様々なモジュールサブセット（例えば、中間車両）に再構成できる統合車両を形成して所望の乗り物効果（例えば、単一の車両が各段階で各部分に分かれる錯覚）をもたらすことができる。特に、本開示で開示する実施形態は、乗り物車両モジュールの物理的及び／又は仮想的な連結及び切り離しを行うシステム及び方法に関する。乗り物車両のモジュール性は、これらの単独ユニットの構成を意味することができ、以下、本明細書では、様々なサイズのクラスタの柔軟な配置及び構成についてこのことを詳細に説明する。モジュール式乗り物車両は、様々なサイズのクラスタで又は個々のユニットモジュールとして同期的又は非同期に移動することができる。乗り物車両モジュールは、乗り物の開始時には、連動システムによって１つの統一乗り物車両のように見えるように基本的に切れ目なく連結することができる。換言すれば、乗り物車両が実際には連結された複数の乗り物車両モジュールのクラスタである場合、来園客は、１つの完全に一体の統合された乗り物車両に乗り込んでいるという印象を受けることができる。実際に、来園客は、乗り物車両モジュールの連結方法に基づいて、統一乗り物車両が小型の乗り物車両モジュールのクラスタに分離できることに気付くこともないと考えられる。
【０００９】
さらに、いくつかの実施形態では、乗り物車両モジュールが、クラスタの形で物理的に連結している時に電子的かつ通信可能に結合することもできる。すなわち、乗り物車両回路（例えば、制御回路及び通信回路）は、連結された乗り物車両モジュールに単一の統一乗り物車両として一体に行動させることができる。いくつかの実施形態では、各個々の乗り物車両モジュールが、クラスタの形の他の乗り物車両モジュールと一体に指示通りに行動できるモーションベースシステムに接続することができる。また、乗り物車両モジュールは、クラスタから切り離された時には、制御回路（例えば、プロセッサ）を利用して付属のモーションベースシステムを制御することによって単独で動作又は行動することもできる。例えば、各乗り物車両モジュールは、自動化コントローラ（例えば、プログラマブルロジックコントローラ）を含むことができ、このコントローラは、車両モジュールがクラスタ化されてクラスタ全体又は統一的モジュール式乗り物車両の統一的な動きを行う際に、他の乗り物車両モジュールの（例えば、１次コントローラ及び補助的な２次コントローラを指定する）他のコントローラと協調することができる。なお、乗り物車両モジュールは、無人搬送車（ＡＧＶ）を意味することができ、本明細書では、所定の経路をたどり、６つの自由度（例えば、ロール、ピッチ、ヨー、サージ、ヒーブ及びスウェイ）で動き、他の同様のＡＧＶとの間で連結及び切り離しを行うことができる移動車両として定義することができる。
【００１０】
例示すると、特定の実施形態では、来園客が、１つの大型の一体的乗り物車両シミュレータのように見えるモジュール式飛行機型乗り物車両に入場することができる。飛行機がそのシミュレーション内で離陸する際には、制御回路及び通信回路が、統一的な飛行機型乗り物車両の前方の乗り物車両モジュールに上昇するように指示し、統一的な飛行機型乗り物車両の後方の乗り物車両モジュールに下降するように指示することができる。一方で、この飛行機は、飛行シミュレーションの途中に、複数の乗り物車両モジュールを分裂させ、例えば飛行機の中心を横切って分断することによって墜落をシミュレートすることもできる。その後、飛行機型乗り物車両の前半分（例えば、初期モジュールアセンブリの車両モジュールの第１のサブセット）は、向きを変えて乗り物内の１つの経路を移動し始めることができ、飛行機型乗り物車両の後半分（例えば、初期モジュールアセンブリの車両モジュールの第２のサブセット）は、向きを変えて乗り物内の別の経路を移動し始めることができる。飛行機型乗り物車両の各半分又は中間クラスタ（車両モジュールのそれぞれのクラスタ）は、互いに通信するそれぞれのプロセッサ（例えば、自動化コントローラのプロセッサ）の制御下で、一体に統一乗り物車両として機能することができる。また、各経路は、異なるストーリー及び／又は動きをもたらすことができ、したがって来園客は、その後の乗り物の過程中に数多くの異なる体験を取得することができる。
【００１１】
さらに乗り物を進むと、この例では完全な飛行機であった初期のクラスタの一方又は両方の半分は、乗り物車両モジュールをさらに小さな中間クラスタに切り離すさらなるイベントを体験することができる。乗り物車両クラスタのサイズは、望ましくなるまで縮小することができる。実際に、この分裂は、全ての乗り物車両モジュールが分離され、したがって個々の来園客又は来園客の一部が単独で乗り物の一部を体験するようになるまで継続することができる。その後、乗り物が終わりに近付き、又は来園客が乗り物車両モジュールから退出すると、乗り物車両モジュールは、連結動作を行って初期クラスタを再構築することによって再接続することができる。これにより、この乗り物を体験したいと望む次の来園客グループのために初期の飛行機型乗り物車両を準備することができる。なお、乗り物車両の例として飛行機を使用したが、本開示を限定する意図はない。理解できるように、単一の乗り物車両のように見えて予想外にさらに分裂することができる切れ目なく連結された乗り物車両モジュールは、来園客が最初にどこに座っているかに依存して驚きと複数の体験とを与えることによって来園客の体験を高めることができる。
【００１２】
まず図１Ａ〜図１Ｆに、数多くの小さな乗り物車両モジュールに分離できる統一乗り物車両の実施形態の一連の概略図を示す。最初に、図１Ａに、４つの個々の乗り物車両モジュール１２、１４、１６及び１８と、障壁（例えば、壁部及び／又は天井）２０とを含むことができる統一乗り物車両１０を示す。４つの個々の乗り物車両モジュール１２、１４、１６及び１８の各々は、複数の座席２２を含むことができる。障壁２０は、統一乗り物車両１０への１又は２以上の入場路２４と、統一乗り物車両１０からの１又は２以上の退場路２６とを含むことができる。なお、４つの個々の乗り物車両モジュールを示しているが、本開示では、あらゆる数の乗り物車両モジュールを連結して統一乗り物車両１０を形成することができる。実際に、いくつかの実施形態では、各個々の座席２２が、その独自の個々の乗り物車両モジュールの一部である。したがって、統一乗り物車両１０は、２５個の座席を含む場合には２５個の個々の乗り物車両モジュールを含むことができ、他の数の場合も同様である。
【００１３】
図示のように、個々の乗り物車両モジュール１２、１４、１６及び１８を連結し、障壁２０によって取り囲むと、４つの別個の乗り物車両モジュールではなく１つの統一乗り物車両１０のように見える。個々の乗り物車両モジュールは４つの辺を有することができ、４つの辺のいずれかにおいて互いに連結することができる。すなわち、乗り物車両モジュールは、他の乗り物車両モジュールと前後及び／又は左右に連結することができる。以下で詳細に説明するように、乗り物車両モジュールは、連動システムを利用して複数の方法で連結することができる。また、乗り物車両モジュールは、とりわけ、車載シミュレータ(onboard simulator)、モーションベースシステム、駆動及び／又は軌道への接続のための牽引システム（例えば、タイヤ、トレッドなど）、浮遊能力（例えば、いかだ）、乗り物車両モジュールを駆動及び／又は推進させる駆動システム、ナビゲーションシステム、懸架システム、乗り物車両モジュールの制御及び他の乗り物車両モジュールとの通信のための乗り物車両回路を含むことができる。
【００１４】
いくつかの実施形態では、統一乗り物車両１０を飛行機とすることができ、乗り物車両モジュール１２、１４、１６及び１８を、乗り物車両間の接続部を隠す歩道によって分離された飛行機の異なる区分とすることができる。別の実施形態では、統一乗り物車両１０が映画館を表すことができ、乗り物車両モジュール１２、１４、１６及び１８を、乗り物車両モジュール間の接続部を隠す歩道によって分離された映画館の異なる区分とすることができる。いずれかの実施形態では、開示する技術が、複数の個々の乗り物車両モジュールを共に配置して、１つの一体型車両であるかのように見える統一乗り物車両１０にすることができる。また、以下で詳細に説明するように、いくつかの実施形態では、乗り物車両モジュールを、乗り物車両モジュールに含まれる制御回路及び通信回路によって制御されるモーションベースシステムに接続することができる。したがって、モーションベースシステムを共に制御して、乗り物車両モジュールで構成された統一乗り物車両１０を１つの一体型ユニットとして動かす（例えば、ピッチ、ロール、振動、サージ、ヒーブ及びスウェイ）ことができる。
【００１５】
統一乗り物車両１０は、乗り物の途中で、非一時的機械可読媒体（例えば、メモリ）に記憶されたコンピュータ命令、乗り物車両から離れた所に位置する制御システムからの受信信号又は固定軌道などによって分裂を引き起こす（例えば、切り離し動作を実行する）ことができる。いくつかの実施形態では、この分裂を、シミュレートした衝突、爆発、自然災害及び恐竜／動物の攻撃などの、乗り物内で発生するイベントに応答して引き起こすことができる。この結果、図１Ｂに、２つの異なる中間統一乗り物車両２８及び３０に分裂する（例えば、波線３２は垂直分裂を表す）ように切り離し動作を実行する統一乗り物車両１０の実施形態を示す。図示のように、中間統一乗り物車両は垂直に分裂しているが、乗り物車両モジュールは４つの辺の全てにおいて連結できるので、同様に水平に分裂することもできる。なお、乗り物車両モジュール１２、１４、１６及び１８を取り囲む障壁２０も、本明細書で説明する技術を利用して乗り物車両モジュールと同様に分かれることができる。いくつかの実施形態では、閉じ込めシステムを利用して、来園客をいずれかの離脱ゾーンから分離されるように物理的に拘束することができる。さらに、離脱ゾーンは、連結時に邪魔にならないように来園客の座席から十分に離間させることができる。
【００１６】
中間統一乗り物車両２８及び３０の各々は、２つの個々の乗り物車両モジュールのクラスタを表す。具体的には、中間統一乗り物車両２８は、乗り物車両モジュール１２及び１８を含み、中間統一乗り物車両３０は、乗り物車両モジュール１４及び１６を含む。したがって、中間統一乗り物車両２８は、乗り物車両モジュール１２及び１８を、これらの制御回路及び通信回路の利用を通じて一体に操作することによって単一の一体型乗り物車両として機能することができる。中間統一乗り物車両３０、並びにその連結された乗り物車両モジュール１４及び１６についても同様である。
【００１７】
上述したように、乗り物車両モジュールは、これらの４つの辺全てにおいて連結及び切り離し動作を実行することができる。乗り物が進むにつれ、この能力を利用して、特定のイベントの発生時に乗り物車両モジュールの（単複の）クラスタサイズをさらに減少させることが望ましいと思われる。説明に役立つように、図１Ｃに、各個々の乗り物車両モジュール１２、１４、１６及び１８を４辺のうちの２つにおいて切り離した図１Ａの統一乗り物車両１０を示す。図示のように、各個々の乗り物車両モジュール１２、１４、１６及び１８は、他の乗り物車両モジュールから解放され、独自の経路を進み続けて全く異なるストーリー及び／又は動きを体験することができ、以下、このことについてさらに詳細に説明する。
【００１８】
したがって、各個々の乗り物車両モジュール１２、１４、１６及び１８は、単独で移動することができる。例えば、図１Ｄに、前後（矢印３６）、左右（矢印３８）に移動して左右に向きを変える（矢印４０）ことができる、統一乗り物車両から切り離された乗り物車両モジュール１２を示す。なお、複数の乗り物車両モジュールを含む統一乗り物車両（例えば、１０、２８及び３０）は、いずれも一体型ユニットとしてあらゆる方向に移動できると理解されたい。
【００１９】
さらに、乗り物が進むにつれ、乗り物車両モジュールに接続されてモジュールを取り囲むことができる障壁（例えば、壁部及び／又は天井）２０を除去することもできる。図１Ｅに示すように、障壁２０の一部を乗り物車両モジュール１２から分離することができる。乗り物のタイプによっては、障壁２０を除去することが望ましいと思われる。例えば、シミュレートされた恐竜が墜落した飛行機を襲って壁部又は天井の一部をもぎ取る乗り物では、互いに切り離されてそれぞれの車両モジュールから離れた障壁（例えば、壁部及び／又は天井）２０又はその一部を有することが有益となり得る。実際に、除去できる障壁２０は、乗り物の途中で来園客の体験及び興奮レベルをさらに高めることができる。
【００２０】
いくつかの実施形態では、乗り物内に配置されたロボット（例えば、恐竜、巨人などに見えるように装飾したロボット）によって天井を物理的に除去し、乗り物車両の側壁を直ちに乗り物車両の下部に格納することができる。或いは、ロボットによって側壁を除去することもできる。また、いくつかの実施形態では、壁部を再接続する際、及び／又は外れた物体を乗り物車両に収容する際に邪魔にならないように、壁部が除去された後に適所に留まる透明な壁部（例えば、アクリルガラス）が存在することもできる。他の実施形態では、閉じ込めシステムを利用して、来園客をいずれかの離脱ゾーンから分離されるように物理的に拘束することができる。これには、ロック式ラップバー、オーバーヘッドロック式チェストバー、シートベルト、又はこれらのいずれかの組み合わせの使用を含めることができる。
【００２１】
図１Ｆに示すように、いくつかの実施形態では、乗り物車両モジュール１２を中間統一乗り物車両とし、このモジュール自体の個々の乗り物車両モジュール４２に取り付けることができる複数の座席２２を含めることができる。したがって、中間統一乗り物車両１２は、乗り物の過程中に全ての単一の座席２２及び乗り物車両モジュール４２が単独で動作するようになるまで何度でも望むだけ分裂するように切り離し動作を実行することができる。例えば、来園客は、１人だけで川を下るカヌー（例えば、乗り物の一部の期間中に乗り物車両モジュール４２が連結するカバー）で浮かんで乗り物を終了することができる。したがって、乗り物車両モジュールは、乗り物の異なる部分において非同期的に移動することができる。実際に、乗り物のいくつかの経路では、特定のイベント、地形、ストーリー展開などに応じて乗り物車両モジュールが切り離しを行って非同期的に動き、他の経路では、特定のイベント、地形、ストーリー展開などに応じて乗り物車両モジュールが同期的に動いて再接続することもできる。さらに、いくつかの実施形態では、完全に別個の乗り物要素が乗り物車両モジュールに連結することもできる。例えば、乗り物車両モジュール４２は、乗り物の暗い部分の最中に、乗り物車両モジュール４２の見た目を変化（例えば、飛行機の破片のように見えるものからカヌーに変化）させる要素に連結することができる。開示した乗り物車両の連結動作及びモジュール式の側面の結果として、１つの乗り物において複数の異なる体験をもたらすことができ、これによって来園客をもう一度アトラクションに乗る気にさせることができる。
【００２２】
本開示の態様をさらに示すと、図２は、連結されて単一の統一乗り物車両１０として動作する数多くの乗り物車両モジュール１２、１４、１６及び１８の実施形態の斜視図を含む。上述したように、乗り物車両モジュールは、物理的及び／又は仮想的に連結することができる。物理的連結は、後述する連動システムなどによって可能にすることができる。乗り物車両モジュールは、乗り物車両モジュールが統一乗り物車両１０として一体に行動できるようにする車載乗り物車両回路（例えば、通信回路、制御回路及び／又はセンサ回路）を通じて仮想的に連結することもできる。すなわち、乗り物車両モジュールは、単一の一体型ユニットとして動作を行うように動きを協調させることができる。実際に、統一乗り物車両１０は、各連結された乗り物車両モジュールの動きを適宜に協調させることにより、ピッチ、ロール時などに車両自体を平らに保つことができる。例えば、乗り物が、統一乗り物車両１０を右にロールさせる必要がある場合、統一乗り物車両１０の右側の乗り物車両モジュールが下向きに傾斜し、統一乗り物車両１０の左側の乗り物車両モジュールが上向きに傾斜することができる。この結果、統一乗り物車両１０の左側縁部は最高点に達し、統一乗り物車両１０の残り部分は、右側縁部が最低点に達するまで一体型プラットフォームとして下向きに傾斜することができる。
【００２３】
統一乗り物車両１０の一体的な動きは、連結した乗り物車両モジュールのプラットフォーム４６の各々に取り付けられたモーションベースシステム４４及び懸架システム(suspension system)４５によって可能にすることができる。モーションベースシステム４４は、各乗り物車両モジュールに含まれる乗り物車両回路を通じて制御することができ、以下、この乗り物車両回路について詳細に説明する。乗り物車両回路は、制御回路（例えば、プロセッサ）が乗り物車両に望む通りに動くように指示するために実行する、有形の非一時的機械可読媒体（例えば、メモリ、ストレージ）に記憶されたコンピュータ命令を含むことができる。或いは、乗り物車両回路は、乗り物車両の外部に存在する制御システムなどの遠隔ソースから、乗り物車両に望む通りに動くように指示するコマンド又は命令を受け取ることもできる。例えば、乗り物車両モジュール１２、１４、１６及び１８は、互いに通信することにより、右側の乗り物車両モジュールのモーションベースシステム４４及び懸架システム４５が、付属のプラットフォーム４６を下向きに傾斜させると同時に、左側の乗り物車両モジュールのモーションベースシステム４４及び懸架システム４５が、付属のプラットフォーム４６を上向きに傾斜させて、高速での右旋回に関連する物理的効果をシミュレートすることができる。
【００２４】
さらに、各乗り物車両モジュールは、視覚表示及び音声を提供する車載シミュレータ（図示せず）を含むことができる。モーションベースシステム４４は、視覚表示信号及び音声信号と同期して、没入できる切れ目のない現実的な体験を来園客に与えることができる。乗り物車両モジュールが統一乗り物車両１０として連結した場合、各乗り物車両モジュールの視覚表示信号及び音声信号は、与える体験が一体化されるように同期することができる。また、懸架システム４５は、統一された体験を与えるためにシミュレータの動きに反応するように適応することができる。例えば、懸架システム４５は、流体を磁石で励磁することによって制御できる減衰流体をショックアブソーバ内に利用することができる。磁石は、所望の時点で懸濁液を変質させるシミュレータを用いて時間的に反応するようにプログラムすることができる。また、モーションベースシステム４４は、駆動及び／又は軌道への接続などを可能にする牽引システム（例えば、タイヤ、トレッド）４８を含むこともできる。モーションベースシステム４４は、乗り物車両モジュールの駆動時における速度及び加速度などの運動特性を高めることができる。
【００２５】
別の実施形態では、乗り物車両モジュールをモーションベースシステムに取り付けなくてもよく、或いは乗り物車両モジュールが車載シミュレータを含まなくてもよい。その代わりに、乗り物全体を通じて配置された様々なモーションベースシステム及びシミュレータに乗り物車両モジュールを進ませて離れさせることができる。なお、モーションベースシステムを含まない乗り物車両モジュールは、それでもなお連結動作を実行し、乗り物全体を通じてクラスタサイズを構成することができる。実際に、この乗り物車両モジュールの実施形態は、乗り物車両モジュールを一様に又は単独で制御し、他の乗り物車両モジュール及びシステムなどと通信するように構成された乗り物車両回路を含むこともできる。
【００２６】
統一乗り物車両及び／又は乗り物車両モジュールは、固定軌道を使用せずに動作することができるので、ナビゲーションシステムを利用して位置を追跡し、必要に応じて調整を行うことによって動きを誘導することができる。乗り物車両モジュール経路を追跡するために利用できるナビゲーションシステムの実施形態は、ジャイロスコープ式ナビゲーション、有線誘導式ナビゲーション、及び／又はレーザー誘導式ナビゲーションを含む複数のものが存在する。ジャイロスコープ式ナビゲーションは、車輪が達成した回転数をカウントすることによって乗り物車両モジュールの位置を追跡することができる。ジャイロスコープ式ナビゲーションを使用する利点は、プログラマが、乗り物車両モジュールの経路を、位置を特定するために必要な固定軌道及びランドマークの不在に起因する将来的なコースの変化に対応するように容易にプログラムできる点である。また、乗り物車両モジュールを取り囲む物体をモニタして仮想３次元空間を構築し、位置を参照して適宜に動きを制御する立体カメラを乗り物車両モジュール沿いに含む視覚誘導を利用することもできる。
【００２７】
これに加えて、又はこれとは別に、有線誘導システムは、乗り物車両モジュールの位置基準を経路に沿って提供することができ、レーザー誘導システムは、経路沿いに配置した反射テープからレーザーを反射させて乗り物車両モジュールの位置を参照することができる。いずれかの実施形態では、複数のセンサを利用して、乗り物車両モジュールの各々に含まれる制御回路に位置データを戻すことができる。例えば、レーザー誘導システムは、異なる方向の様々な物体にレーザーを放出する小塔を乗り物車両モジュールに取り付けることができ、乗り物車両回路は、これらの物体からの測定距離に基づいて位置を特定することができる。これにより、乗り物車両モジュールが動きを同期させて連結動作を実行するために互いの距離を知るという利点を得ることができる。
【００２８】
上述したように、いくつかの実施形態では、乗り物車両モジュール１２、１４、１６及び１８を無軌道コースで走行させることができる。したがって、各乗り物車両モジュールは、駆動システムを含むことができる。利用できる駆動システムには、電気式又油圧式を含む複数の異なる実施形態が存在する。１つの実施形態では、電気駆動システムが、複数のモータを利用して乗り物車両モジュールを駆動することができ、これらのモータは非同期モータ又は同期モータとすることができる。別の実施形態では、液体ベースのシステムを含む油圧システムを利用することができる。油圧システムを使用する利点は、自動注油式であることによって他のタイプの駆動システムを使用するよりも保守コストを下げることができる点である。上述したように、乗り物車両モジュールは、分裂時に、個別に取り付けられたモーションベースシステム４４、ナビゲーションシステム、乗り物車両回路、駆動システム及び牽引システム４８によって単独走行及び単独移動する（例えば、走行、ピッチ、ロール、方向転換する）ことができる。
【００２９】
さらに、いくつかの実施形態では、乗り物車両モジュールが、乗り物車両モジュール、並びに乗り物車両回路及びシミュレータの視聴覚ディスプレイなどのいずれかの車載部品に給電するために車載式充電池を含むことができる。１つの実施形態では、乗り物車両モジュールが、 乗り物を通じて設置された誘電接地板に接続して充電できる、車両の底部に取り付けられた導電レセプタを含むことができる。別の実施形態では、地上に設置された充電パッド内の一次コイルと、乗り物車両モジュールに取り付けられたレセプタ内の２次コイルとを含む無線充電システムを利用することができる。充電パッドは、レセプタと整列した時にレセプタに電気を送信してバッテリを充電することができる。
【００３０】
このことを踏まえ、図３に、各乗り物車両モジュールの乗り物車両回路５０の一部とすることができ、連結動作を実行してとりわけ乗り物車両モジュール間の動き及び／又はシミュレーションを統一するために使用できる様々な構成要素のブロック図を示す。図示のように、乗り物車両回路５０は、通信回路５２、プロセッサ５４（例えば、制御回路）、センサ５５、メモリ５６及びストレージ５８などを含むことができる。通信回路５２は、乗り物車両モジュールと他のシステム（例えば、制御システム）及び／又は装置との間の通信を容易にすることができる無線又は有線通信要素とすることができる。通信回路５２は、ＩＥＥＥ  ８０２．１１ｂ／ｇなどの業界標準を満たすことができる。例えば、統一乗り物車両が異なる中間クラスタに分離すると、通信回路５２は、中間クラスタに含まれる乗り物車両モジュールが、統一乗り物車両として再形成する連結動作を協調できるようにすることができる。また、乗り物車両モジュールが統一乗り物車両として連結されると、通信回路５２は、一体型ユニットとしての動作を可能にすることもできる。プロセッサ５４は、コンピュータ実行可能コードを実行できるあらゆるタイプのコンピュータプロセッサ又はマイクロプロセッサとすることができる。いくつかの実施形態では、プロセッサ５４を１又は２以上のマイクロコントローラとすることができる。
【００３１】
また、プロセッサ５４のアーキテクチャにも複数の実施形態が存在する。例えば、１つの実施形態では、１つの中央処理装置５４が、通信回路５２及びセンサ５５などからの全てのデータを直接処理することができる。別の実施形態では、さらに複雑な決定のために中央処理装置５４にデータを供給するプロセッサ５４をそれぞれ有する複数のサブシステムが存在することができる。例えば、ナビゲーションシステムは、プロセッサ５４を含むことができ、通信回路５２も、プロセッサ５４を含むことができ、センサ５５も、中央処理装置５４にデータを提供するプロセッサ５４を含むことができ、他も同様である。複数のプロセッサ５４の利用は、冗長性を可能にすることができる。連結された乗り物車両モジュール間の動きを協調させるために、１つの実施形態では、１つの連結された乗り物車両モジュールをマスター制御装置として指定し、他の連結された乗り物車両モジュールをスレーブとして指定することができる。この実施形態では、マスターのプロセッサ５４が、通信回路５２を介してクラスタ全体の制御に関する情報をスレーブに中継することができ、スレーブのプロセッサ５４が、一体に動くようにクラスタ内の位置に対して反応する方法を決定することができる。
【００３２】
上述したように、センサ５５は、とりわけ乗り物車両モジュールが乗り物内のどこに位置するか、及び他の乗り物車両モジュールをどのように同期して動かしてこれらに接続するかを決定できるようにすることができる。メモリ５６及びストレージ５８は、プロセッサ実行可能コード又はデータなどを記憶する媒体としての役割を果たすことができるいずれかの製造の物品とすることができる。これらの製造の物品は、開示する技術を実行するためにプロセッサ５４が使用するプロセッサ実行可能コードを記憶できる有形のコンピュータ可読媒体（すなわち、いずれかの好適な形の有形メモリ又はストレージ）を表すことができる。メモリ５６及びストレージ５８は、ビデオデータ及びオーディオデータを記憶するために使用することもできる。
【００３３】
次に、本開示による、乗り物車両モジュール間の接続線を隠す実施形態の一連の斜視図を含む図４Ａ〜図４Ｄを参照する。一般に、連結された乗り物車両モジュールの間の接続線は、乗り物車両モジュールのプラットフォームの表面上の模様、窪み、照明／影付け及び重複材料（例えば、カーペット）などを用いて隠すことができる。乗り物車両モジュール間の接続線を隠すと、連結された乗り物車両モジュールが単一の統一乗り物車両であるという外観を強化することができる。以下で説明する技術は、乗り物車両モジュールを横並びに及び／又は前後に連結する際に適用することができる。
【００３４】
これらを踏まえ、図４Ａに、横並びに連結された乗り物車両モジュール１２及び１４を示す。いくつかの実施形態では、乗り物車両モジュールのプラットフォーム面が、歩道を形成するトラック照明のレールとすることができる線６０を含むことができる。理解できるように、このような歩道は、一般に飛行機及び／又は映画館で見られるものに類似することができる。他の実施形態では、線６０を、（例えば、塗料、影を用いて）暗くしたり深くしたりすることができるプラットフォーム内の凹溝とすることができる。図示のように、乗り物車両モジュール１２及び１４間の接続線６２は線６０の直近に存在し、したがって２つのプラットフォームが接する割れ目は、トラック照明の設備又は単なる別の凹溝と一体化しているように見える。トラック照明を利用して接続線６２に影を落としてさらに隠すこともできる。さらに、プラットフォームの側面は、楔形６４に設計することができる。楔形のプラットフォームは、とりわけ、乗り物車両モジュールの底部から光が生じて接続線６２を露出させるのを防ぐように互いに組み合わさることができる。また、上述したように、座席２２と接続線６２（例えば、分離点）との間の距離は、乗り物の途中で乗り物車両モジュール同士を連結（例えば、接続）する際のあらゆる障害を防ぐのに十分な距離６６とすることができる。
【００３５】
別の実施形態では、図４Ｂに、ジグザグパターンを利用することによって、横並びに連結された乗り物車両モジュール１２及び１４間の接続線６２を隠すことを示す。このパターンは、乗り物車両モジュールのプラットフォームの表面に設置されたカーペットの一部、乗り物車両モジュールのプラットフォームの表面に塗装したもの、乗り物車両モジュールのプラットフォームなどの表面上の溝として窪ませたものなどとすることができる。このパターンは、プラットフォーム面全体を覆うことも、或いはその一部のみを覆うこともできる。カーペット又は塗装では、接続線６２を隠すために暗い色（例えば、黒色、灰色）を使用することができる。また、ジグザグが凹溝である場合、この溝も、塗装及び／又は影付けを用いて暗くすることができる。プラットフォームの側面は、連結時に対応する歯が噛み合うことができるようにジグザグに設計することができる。
【００３６】
別の実施形態では、図４Ｃに、噛み合う四角形パターンを利用することによって横並びに連結された乗り物車両モジュール１２及び１４間の接続線６２を隠すことを示す。このパターンは、乗り物車両モジュールのプラットフォームの表面に設置されたカーペットの一部、乗り物車両モジュールのプラットフォームの表面に塗装したもの、乗り物車両モジュールのプラットフォームなどの表面上の溝として窪ませたものなどとすることができる。このパターンは、プラットフォーム面全体を覆うことも、或いはその一部のみを覆うこともできる。カーペット又は塗装では、接続線６２を隠すために暗い色（例えば、黒色、灰色）を使用することができる。さらに、噛み合う四角形が凹溝である場合、この溝も、塗装及び／又は影付けを用いて暗くすることができる。プラットフォームの側面は、連結時に対応する歯が組み合わさるように噛み合う四角形に設計することができる。
【００３７】
さらに別の実施形態では、乗り物車両モジュールのうちの１つの乗り物車両モジュールのプラットフォーム面が、接続線６２を完全に覆うために、接続された乗り物車両モジュール上に延びるフラップを含むことができる。このフラップは、カーペット及びゴムなどで構成することができる。このフラップは、プラットフォームが統一されて見えるように、連結された乗り物車両モジュールのプラットフォームの表面全体に含まれるパターンと調和するパターンを含むことができる。
【００３８】
図４Ｄに、前後左右に連結された乗り物車両モジュール１２、１４、１６及び１８を示す。この実施形態では、左右の接続線６２及び前後の接続線６８が、チェックパターンの一部として隠されている。上述したように、このチェックパターンは、乗り物車両モジュールのプラットフォームの表面に設置されたカーペットの一部、乗り物車両モジュールのプラットフォームの表面に塗装したもの、乗り物車両モジュールのプラットフォームなどの表面上の溝として窪ませたものなどとすることができる。カーペット又は塗装では、接続線６２を隠すために暗い色（例えば、黒色、灰色）を使用することができる。さらに、チェックパターンを構成する線が凹溝である場合、この溝も、塗装及び／又は影付けを用いて暗くすることができる。このパターンは、組み立てた乗り物車両モジュール１２、１４、１６及び１８が実際に１つの統一された完全に一体的な乗り物車両であるという印象を来園客が受けるように、接続線６２及び６８をパターンの一部として隠すのに役立つことができる。
【００３９】
次に、乗り物車両モジュールの物理的連結方法に移ると、図５Ａ〜図５Ｍは、本開示による、連結動作を行うために乗り物車両モジュールが利用できる連動システムの実施形態の一連の斜視図を含む。開示する連動システムの実施形態は、各乗り物車両モジュールの側面、前面及び／又は後面に取り付けることができる。いくつかの実施形態では、この連動システムを、乗り物車両モジュールに含まれる乗り物車両回路５０によって制御することができる。例えば、乗り物車両回路５０は、乗り物車両モジュールが完全に適所にロックされた時にフィードバックを受け取ることができる。このフィードバックは、乗り物車両の側面、前面及び／又は後面上に取り付けられたセンサ（例えば、近接センサ）を介して取得することができる。乗り物車両回路５０は、この情報を用いて、ロックされた乗り物車両モジュールと、統一乗り物車両として動作するように通信することができる。同様に、乗り物車両回路５０は、乗り物車両モジュールが切り離された時にも（例えば、センサを介して）フィードバックを受け取ることができる。乗り物車両回路５０は、この情報を用いて、乗り物車両モジュールを残りのいずれかの接続された乗り物車両モジュールと一体に操作し続けることができ、或いは乗り物車両モジュールが１つである場合、その乗り物車両モジュールを単独で操作し続けることができる。さらに、この連動システムは、乗り物車両モジュールを強固にしっかりとロックすることによって一体型ユニットとして機能させることもできる。
【００４０】
図５Ａには、Ｔ字型ねじレールロック(T-screw rail lock)７０を含む連動システムの実施形態を示す。Ｔ字型ねじ７２は、第１の乗り物車両上に取り付けて、必要になるまで床と平行に格納しておくことができる。Ｔ字型ねじ７２は、乗り物車両回路５０によって接近中の乗り物車両モジュールに接続するように作動又は指示されると、図示のように伸びて接近中の乗り物車両モジュール内のレール７４に入り込み、回転してロックすることができる。その後、第１の乗り物車両モジュールは、Ｔ字型ねじ７２を格納して、接続された車両モジュールをできるだけ近くに引き寄せることができる。Ｔ字型ねじレールロック７０は、とりわけＴ字型ねじ７２の回転に耐え、レール７４内に強力な保持力をもたらしてアライメントを管理する肉厚ゴムパッド７６を含むことができる。Ｔ字型ねじ７２は、接続された乗り物車両モジュールから分離するように指示されると、再び回転して当初の位置に後退することができる。これにより、乗り物車両モジュール間の素早い分離を可能にすることができる。なお、各乗り物車両モジュールは、側面、前面及び／又は後面にモジュール性を高めるいずれかの組み合わせで取り付けられたＴ字型ねじ７２及び／又はレール７４を含むことができる。
【００４１】
別の実施形態では、図５Ｂ〜図５Ｃに、ボルトロック(bolt lock)８０を含む連動システムを示す。図５Ｂに示すように、第１の乗り物車両モジュール８４にロック部材８２を取り付け、第２の乗り物車両モジュール８８の内部にボルト８６を取り付けることができる。乗り物車両回路５０によって第２の乗り物車両モジュール８８に接続するように作動又は指示されると、第２の乗り物車両モジュール８８の開口部９０内にロック部材８２を誘導することができる。その後、図５Ｃに示すように、ロックにボルト８６を挿通して閉じ、乗り物車両モジュール８４及び８８を適所に保持することができる。接続された乗り物車両モジュールから分離するように指示されると、ロック部材８２からボルト８６が除去され、第１の乗り物車両モジュール８４が離れることによって第２の乗り物車両モジュール８８からロック部材８２を後退させることができる。ボルト８６及び／又はロック部材８２は、接続を強化するために、乗り物車両モジュールの側面、前面及び後面に沿って望む通りに複数配置することができる。
【００４２】
別の実施形態では、図５Ｄ〜図５Ｅに、乗り物車両モジュールに取り付けられた電磁ロック(electromagnetic lock)９４を含む連動システムを示す。乗り物車両回路５０によって別の乗り物車両モジュールに接続するように作動又は指示されると、図５Ｅに示すように電磁石９６に電流を供給して、所望の乗り物車両モジュールを共に引っ張ることができる。分離するように指示されると、電磁石９６に供給する電流をオフにし、乗り物車両モジュールを分離して、単独で又は残りのいずれかの接続された乗り物車両モジュールと一体に操作することができる。電磁石９６は、接続を強化するために、乗り物車両モジュールの側面、前面及び後面に沿って望む通りに複数配置することができる。
【００４３】
別の実施形態では、図５Ｆ〜図５Ｇに、スライド式ロック(slide lock)１００を含む連動システムを示す。図５Ｆに示すように、第１の車両モジュール１０４にボルト１０２を取り付け、第２の乗り物車両モジュール１０８の内部に凹部１０６を取り付けることができる。乗り物車両回路５０によって連結動作を行うように作動又は指示されると、図５Ｇに示すように、第２の乗り物車両モジュール１０８にボルト１０２を挿入し、機構によって第２の乗り物車両モジュール１０８の凹部１０６内に降下させることができる。分離するように指示されると、この機構に、ボルト１０２を上昇させて第２の乗り物車両モジュール１０８の凹部１０６から引き抜くように指示することができる。スライド式ロック１００は、接続を強化するために、乗り物車両モジュールの側面、前面及び後面に沿って望む通りに複数配置することができる。
【００４４】
別の実施形態では、図５Ｈに、ドロップピンコネクタ式ロック(drop pin connector lock)１１０を含む連動システムを示す。図５Ｈに示すように、第１の乗り物車両モジュール１１４にコネクタ１１２を取り付けて第１の乗り物車両モジュール１１４から延ばし、第２の乗り物車両モジュール１１６に別のコネクタ１１２を取り付けて第２の乗り物車両モジュール１１６から延ばすことができる。乗り物車両回路５０によって連結するように作動又は指示されると、第１の乗り物車両モジュール１１４と第２の乗り物車両モジュール１１６の両方のコネクタ１１２を位置合わせし、第１の乗り物車両モジュール１１４又は第２の乗り物車両モジュール１１６上の機構によってコネクタ１１２にドロップピン１１８を挿通させてロックすることができる。分離するように指示されると、機構によってコネクタ１１２からドロップピン１１８除去し、乗り物車両モジュールが分離することによってコネクタ１１２も分離する。ドロップピン１１８及びコネクタ１１２は、接続を強化するために、乗り物車両モジュールの側面、前面及び後面に沿って望む通りに複数配置することができる。
【００４５】
図６Ａ及び図６Ｂは、本開示による切り離し能力を示す、飛行機型乗り物車両１３０の実施形態の斜視図を含む。図６Ａに示すように、飛行機型乗り物車両１３０は、２つの連結された乗り物車両モジュール１３２及び１３４、壁部１３６及び天井１３８を含む。各乗り物車両モジュール１３２及び１３４は、様々なサイズのグループで配置された複数の座席２２を含むことができる。飛行機型乗り物車両１３０を表示画面１４０の方に向け、又は各乗り物車両モジュール１３２及び１３４に表示画面１４０を取り付けることができる。この実施形態では、接続線１４２が、２列の座席２２をこれらの間の通路に沿って分割する。接続線１４２を隠すことに関して上述した技術を利用することができる。なお、他の乗り物車両モジュールを横並びに取り付ける場合には、あらゆる数の座席２２の列が存在することができる。また、乗り物車両モジュール１３２及び１３４の前面及び／又は後面に取り付けられた他の乗り物車両モジュールが存在することもできる。実際には、数多くの乗り物車両モジュールを連結して、乗り物車両が単一の一体型ユニットとして動作する１つの大型の飛行機型乗り物車両１３０に見えるように接続線を隠すことができる。例えば、離陸をシミュレートする際には、飛行機型乗り物車両１３０の前部を上昇させ、飛行機型乗り物車両１３０の後部を下降させることができる。
【００４６】
飛行機型乗り物車両１３０は、各モジュール式乗り物車両に取り付けられたモーションベースシステムを含むことも、又は含まないこともできる。飛行機型乗り物車両１３０内で連結される各乗り物車両モジュールは、乗り物全体を通じて乗り物車両モジュールの駆動及び／又はジェットコースターの軌道への接続を可能にする車輪１４４を含む。さらに、壁部１３６及び天井１３８は、来園客に分裂することが分からないように結合することができる。例えば、接続線１４６は、飛行機でよく見られる２つの外部金属パネルが接続された接続線に類似することができる。すなわち、外部では、壁部１３６及び天井１３８が、いずれも実際の飛行機に類似するように接続線１４６の近くにボルト又は締結具を含むことができる。この時、内部では、接続線１４６が、２つの壁部パネルが一体になった窪みのように見える。プラットフォーム面の接続線をカモフラージュすることに関して上述した、影付け及び模様などの同様の技術を利用することができる。この結果、来園客は、完全にクラスタ化された構成の乗り物車両に入ると、乗り物体験全体を通じて壁部及び天井がユニットとして原形を保つであろうという錯覚に陥ることができる。
【００４７】
図６Ｂに、乗り物車両モジュール１３２及び１３４を切り離す飛行機型乗り物車両の能力を示す。さらに、図示の実施形態には、乗り物車両モジュールの天井１３８が分離可能及び／又は除去可能であることを示す。上述したように、各乗り物車両モジュールに含まれる乗り物車両回路は、別の乗り物車両モジュールから物理的に分離する（例えば、切り離す）命令を実行することができる。この命令は、乗り物の途中で発生する特定のイベントによって誘発することができる。例えば、飛行機型乗り物車両１３０は、とりわけ山に衝突し、又は乗り物車両をバラバラにする巨大な嵐に突入することができる。この時、飛行機型乗り物車両１３０は、乗り物車両モジュールが接続されたあらゆる箇所で望む通りに（例えば、左右、前後に）分裂することができる。
【００４８】
図には、中央から垂直に分裂した飛行機型乗り物車両１３０を示しているが、本明細書で開示する技術は、飛行機型乗り物車両１３０をあらゆる数の方法で（例えば、中央から水平に）分裂させることができると理解されたい。各乗り物車両モジュール１３２及び１３４は、他の乗り物車両モジュールから切り離された後は単独で動作することができる。これにより、各乗り物車両モジュール１３２及び１３４は、乗り物内で別個の経路を進むことができる。例えば、乗り物車両モジュール１３２は、ジェットコースターに取り付けて降下させることにより、飛行機が衝突した山から落下することができる一方で、他方の乗り物車両モジュール１３４は、森林内に着陸することができる。乗り物車両モジュール１３４は、天井１３８をはぎ取るアニマトロニクスの恐竜１４８にさらに遭遇することができる。波状の線１４６は、天井１３８と壁部１３６とが分離できるこれらの間の接続線を表す。また、壁部は、乗り物車両の下部に格納し、又は物理的に除去することなどによって取り壊すこともできる。また、乗り物車両モジュール１３２及び１３４は、いずれも乗り物全体を通じてモーションベースシステム上に、及びモーションベースシステムから移動させ、及び／又はシミュレータ内に位置付けることもできる。このように、各乗り物車両モジュール１３２及び１３４は、同じ乗り物内で異なる体験をもたらす異なるシミュレーション及び／又は動きを体験することができる。
【００４９】
また、図７Ａ及び図７Ｂは、本開示による切り離し能力を示す、映画館型乗り物車両１５０の実施形態の斜視図を含む。図７Ａに示すように、映画館型乗り物車両１５０は、接続線１６０において連結された４つの乗り物車両モジュール１５２、１５４、１５６及び１５８を含む。映画館型乗り物車両１５０は、（破線１６２によって表す）壁部及び天井、並びに複数の入場路１６４及び退場路１６６を含むことができる。しかしながら、いくつかの実施形態では、壁部及び天井１６２を乗り物車両モジュール１５２、１５４、１５６及び１５８に接続しなくてもよい。各乗り物車両モジュール１５２、１５４、１５６及び１５８は、様々なサイズのグループで配置された複数の座席２２を含むことができる。映画館型乗り物車両１５０は、ビデオ表示画面１４０の方を向くことができる。或いは、各乗り物車両モジュール１５２、１５４、１５６及び１５８が、オーディオ及びビデオ表示画面１４０を含む車載シミュレータ（図示せず）を含むこともできる。いくつかの実施形態では、乗り物車両モジュールが、プラットフォーム４６の表面の接続線１６０を隠すことに関して上述した技術を利用することができる。図示のように、乗り物車両モジュールのプラットフォーム４６の表面上には接続線１６０が見えない。この結果、来園客は、この部屋を通常の映画館であると感じることができる。すなわち、来園客は、自分達が乗り物に入場したことを全く実感しないことさえもある。その代わり、来園客は、自分達が移動も分裂もしない何らかの種類の映画シミュレータ内にいるという印象を受けることができる。
【００５０】
なお、乗り物車両モジュールは、あらゆる数を左右及び／又は前後に取り付けることができ、これらのモジュールは、望む通りにあらゆる数の座席２２を含むことができる。実際には、数多くの乗り物車両モジュールを連結し、これらの乗り物車両モジュールが１つの大きな映画館に見えるように接続線を隠すことができる。さらに、連結された乗り物車両モジュールの回路５０は、単一の統合映画館型乗り物車両１５０としての同期操作を可能にすることもできる。例えば、地震、揺れなどをシミュレートする際には、映画館型乗り物車両１５０の前部の上昇と、映画館型乗り物車両１５０の後部の下降とを同時に繰り返すことができる。
【００５１】
映画館型乗り物車両１５０は、各乗り物車両モジュール１５２、１５４、１５６及び１５８に取り付けられたモーションベースシステム４４を含むことも、或いは含まないこともできる。しかしながら、図示の実施形態では、映画館型乗り物車両１５０が、各乗り物車両モジュール１５２、１５４、１５６及び１５８に取り付けられたモーションベースシステム４４を含む。モーションベースシステム４４は、乗り物全体を通じて駆動及び／又はジェットコースター軌道への接続を可能にする牽引システム（例えば、車輪）４８を含むことができる。さらに、壁部及び天井１６２は、来園客に分裂することが分からないように結合することができる。例えば、接続線は、室内の接続された壁部及び天井によく見られる接続線に類似することができる。或いは、映画館の室内で一般に利用されるカーテンによって接続線を覆うこともできる。壁部と天井との間の接続線を隠すには、プラットフォーム４６の表面の接続線をカモフラージュすることに関して上述した、影付け及び模様などの同様の技術を利用することができる。この結果、車両モジュールの完全なクラスタに入った来園客は、体験を通じて壁部及び天井がユニットとして原形を保つであろうという錯覚に陥ることができる。
【００５２】
図７Ｂに、乗り物車両モジュール１５２、１５４、１５６及び１５８を切り離す映画館型乗り物車両の能力を示す。さらに、上述した乗り物車両モジュールの壁部及び／又は天井１６２は、分離可能及び／又は除去可能とすることができる。いくつかの実施形態では、ロボット又は機械的アームなどによって壁部及び／又は天井１６２を除去することができる。或いは、壁部を乗り物車両モジュールの下部に格納し、又は壁部を乗り物車両モジュールに全く接続しないこともできる。上述したように、各乗り物車両モジュールに含まれる乗り物車両回路５０は、接続された乗り物車両モジュールから物理的に分離する（例えば、切り離し動作を行う）命令を実行することができる。この命令は、乗り物内でのシミュレーション中に発生する特定のイベントによって誘発することができる。例えば、映画館型乗り物車両１５０は、地震又は揺れなどの通常の映画館に影響を与え得る自然災害をシミュレートすることができ、或いはビデオ表示画面１４０が３次元シミュレーションで流星群を表示し、浮遊隕石が画面１４０に「衝突」することもできる。いずれのシナリオにおいても、この時、映画館型乗り物車両１５０は、乗り物車両モジュール１５２、１５４、１５６及び１５８が接続されたあらゆる箇所で望む通りに（例えば、左右に、前後に、対角線に沿って、曲線に沿って、複数の接続部に沿って）分裂することができる。
【００５３】
図には、前後左右に分割することによって、全ての乗り物車両モジュール１５２、１５４、１５６及び１５８を解放する映画館型乗り物車両１５０を示している。各乗り物車両モジュールは、他の乗り物車両モジュールから切り離された後に単独で動作することができる。これにより、各乗り物車両は、乗り物内の別個の経路を進むことができる。具体的には、各乗り物車両モジュールの回路５０が、このモジュール自体のモーションベースシステム４４を単独で制御して乗り物車両モジュールを所望の方向に動かす（例えば、駆動する）ことができる。さらに、モーションベースシステム４４は、車載シミュレータ（図示せず）と同期して、ロール、ピッチ、ヨー、サージ、ヒーブ及び／又はスウェイ（例えば、６自由度の動き）を行うことができる。例えば、乗り物車両モジュール１５２、１５４、１５６及び１５８の全てが異なる経路を進み、１つの乗り物車両モジュールが、シミュレートした市街地の通りを疾走して地震から逃れようとする一方で、別の乗り物車両が、ジェットコースターに結合して、シミュレートした竜巻、エイリアンの宇宙船又恐竜などから飛行機で飛び去ることもできる。モーションベースシステム４４は、その間ずっと、車載シミュレータ内で発生するイベントと同期して振動し、変調する。このように、各乗り物車両モジュール１５２、１５４、１５６及び１５８は、同じ乗り物内で異なる体験をもたらす異なるシミュレーション及び／又は動きを体験することができる。
【００５４】
図８Ａ〜図８Ｃは、乗り物車両モジュールが移動できる異なる経路を示すのに役立つように、乗り物の途中で連結動作を行うことによってクラスタサイズを構成する乗り物車両モジュールの一連の上面図を含む。なお、各乗り物車両モジュールは、１又は２以上の座席を含むことができる。さらに、各乗り物車両モジュール間の接続線は、上述した技術を利用することによって乗り物車両モジュールのプラットフォームの表面上で来園客に見えないようにすることができる。図８Ａには、乗り物の開始時における統一乗り物車両１７０を示す。例えば、統一乗り物車両１７０は、上述した飛行機型乗り物車両又は映画館型乗り物車両、或いは１又は２以上の連結された乗り物車両モジュール１７２を含む他のいずれかの統一乗り物車両１７０とすることができる。最初の時点（ｔ１）において、統一乗り物車両１７０は、何らかのイベントによって切り離し動作の実行を開始し、１又は２以上の乗り物車両モジュール１７２を含む２つの異なる中間統一乗り物車両１７４及び１７６に分離する。乗り物車両回路５０を利用して、中間統一乗り物車両１７４及び１７６を一体型ユニットとして動作させて、別個の経路を走行又は移動させることができる。図示のように、中間統一乗り物車両１７４は経路１７８を進み、中間統一乗り物車両１７６は経路１８０を進むことができる。
【００５５】
上述したように、両経路１７８及び１８０は、異なるストーリー、シミュレーション及び動きを含むことができる。実際に、一方又は両方の経路は、中間統一乗り物車両１７４及び／又は１７６が接続できるジェットコースター軌道、中間統一乗り物車両１７４及び／又は１７６が浮かんで流れることができるウォータシュート及び／又は水域、並びに中間統一乗り物車両１７４及び／又は１７６が走行できる舗装道路などを含むことができる。同様に、中間統一乗り物車両１７４及び１７６が体験する音響要素及び映像要素も異なることができる。
【００５６】
さらに、図８Ｂに、第２の時点（ｔ２）において別のイベントによって中間統一乗り物車両１７４が切り離されて２つの異なる中間統一乗り物車両１８２及び１８４に分裂することができる、経路１７８をさらに進んだ上面図を示す。その後、各中間統一乗り物車両１８２及び１８４は、異なる経路を進むことができる。例えば、中間統一乗り物車両１８２は、経路１８６を進むことができ、中間統一乗り物車両１８４は、経路１８８を進むことができる。ここでは、各中間統一乗り物車両１８２及び１８４が、再び異なるストーリー、シミュレーション及び／又は動きを体験することができる。理解できるように、中間統一乗り物車両は、単一の乗り物車両モジュールしか残らなくなるまで分裂し続けることができる。中間統一乗り物車両が分裂する度に、結果として残る乗り物車両（例えば、単一の乗り物車両モジュール又はモジュールのサブセット）は異なる体験を取得することができる。これにより、全ての異なる経路を体験するために何度もアトラクションに乗ることを促すことができる。
【００５７】
乗り物車両モジュールは、乗り物内の何らかの時点で再連結することが望ましいと考えられる。したがって、図８Ｃに、第３の時点（ｔ３）において連結動作を行って再接続する２つの中間統一乗り物車両１９０及び１９２を示す。時点ｔ３は、シミュレーション内のストーリーの一部とすることができる、乗り物の途中で発生する何らかのイベントに応答することができる。例えば、来園客及び乗り物車両を人体の静脈内を移動する血球とする乗り物では、動脈に出くわした時などに血球が再結合することができる。或いは、来園客及び乗り物車両を戦闘機とする乗り物では、戦闘機が任務終了時に航空母艦に戻ることができる。したがって、中間統一乗り物車両１９０及び１９２は、統一乗り物車両１９４としての必然的な印象を与えるように再連結することができる。この時点で乗り物は終了し、来園客は統一乗り物車両１９４から退出することができる。
【００５８】
他の実施形態では、分離した乗り物車両クラスタが、来園客を異なる出口部分で別々に降ろし、来園客が退出してしまうまで次の乗り物サイクルのために再結合しないようにすることができる。さらに、乗り物全体を通じて、乗り物車両クラスタが移動中のサイズを変化させるように連結動作を行う他の地点が存在することもできる。いずれかの実施形態では、乗り物車両モジュールが、乗り物全体を通じて移動中のクラスタのサイズを増減することができると理解されたい。この結果、来園客は、アトラクションに何回も乗り、どの統一乗り物車両、クラスタ又は乗り物車両モジュールに座るかに応じて新しい何かを体験することができる。
【００５９】
また、図９は、乗り物車両モジュールの動作処理２００のブロック図である。処理２００は、クラスタサイズを決定するステップ（処理ブロック２０２）と、クラスタサイズを設定するステップ（処理ブロック２０４）と、乗り物車両連結動作を実行するステップ（処理ブロック２０６）と含むことができる。具体的は、クラスタサイズを決定するステップ（処理ブロック２０２）は、複数の乗り物車両モジュールの乗り物車両の回路５０（例えば、プロセッサ）が乗り物全体を通じて互いに通信することによって行うことができる。例えば、乗り物内の特定の時点において、統一乗り物車両又はクラスタの分裂を引き起こすイベントをシミュレーション内で又はコースの一部として発生させ、乗り物車両の回路５０が、分裂したクラスタにいくつの乗り物車両モジュールを含めるべきかを決定することができる。クラスタのサイズは、乗り物のコース内の特定の時間／イベントに関連する、乗り物車両回路５０がアクセスできる有形の非一時的媒体（例えば、メモリ）に記憶することができる。この結果、乗り物車両の回路５０は、これに応じてクラスタサイズを設定することができる（処理ブロック２０４）。その後、切り離して分裂させる必要がある乗り物車両モジュールは切り離し動作を実行して、決定されたクラスタサイズに分離することができる（処理ブロック２０６）。
【００６０】
同様に、処理２００は、クラスタサイズを増やす必要がある時にも利用することができる。例えば、乗り物内の特定の時点において、１又は２以上のクラスタ（例えば、中間統一乗り物車両）の連結動作の実行を引き起こして再接続させるイベントを発生させることができる。乗り物車両の回路５０は、本明細書で説明した技術を利用していくつの乗り物車両モジュールを連結すべきかを決定することを含め、（単複の）クラスタのサイズを決定することができる（処理ブロック２０２）。その後、処理ブロック２０４において、乗り物車両の回路５０がクラスタサイズを設定し、処理ブロック２０６において、乗り物車両モジュールが、これに応じて所望のサイズの（単複の）クラスタを実現するために連結動作を実行する。
【００６１】
本明細書では、本開示のいくつかの特徴のみを図示し説明したが、当業者には多くの修正及び変更が浮かぶであろう。したがって、添付の特許請求の範囲は、本開示の実際の趣旨に含まれる全てのこのような修正及び変更も対象とすることが意図されていると理解されたい。
【図１Ａ】
2020110647.tif 000003
【図１Ｂ】
2020110647.tif 000004
【図１Ｃ】
2020110647.tif 000005
【図１Ｄ】
2020110647.tif 000006
【図１Ｅ】
2020110647.tif 000007
【図１Ｆ】
2020110647.tif 000008
【図２】
2020110647.tif 000009
【図３】
2020110647.tif 000010
【図４Ａ】
2020110647.tif 000011
【図４Ｂ】
2020110647.tif 000012
【図４Ｃ】
2020110647.tif 000013
【図４Ｄ】
2020110647.tif 000014
【図５Ａ】
2020110647.tif 000015
【図５Ｂ】
2020110647.tif 000016
【図５Ｃ】
2020110647.tif 000017
【図５Ｄ】
2020110647.tif 000018
【図５Ｅ】
2020110647.tif 000019
【図５Ｆ】
2020110647.tif 000020
【図５Ｇ】
2020110647.tif 000021
【図５Ｈ】
2020110647.tif 000022
【図６Ａ】
2020110647.tif 000023
【図６Ｂ】
2020110647.tif 000024
【図７Ａ】
2020110647.tif 000025
【図７Ｂ】
2020110647.tif 000026
【図８Ａ】
2020110647.tif 000027
【図８Ｂ】
2020110647.tif 000028
【図８Ｃ】
2020110647.tif 000029
【図９】
2020110647.tif 000030
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
乗り物の途中で互いに連結及び分離するように構成された第１の乗り物車両及び第２の乗り物車両と、
前記乗り物の途中で１又は２以上のイベントと連動して、前記第１の乗り物車両及び前記第２の乗り物車両を互いに連結し、分離し、又はこれらの両方を行うように制御するように構成された制御回路と、
を備えたシステム。
【請求項２】
前記制御回路は、前記第１の乗り物車両上に支持された第１のプロセッサ及び第１の通信回路を含み、前記制御回路は、前記第２の乗り物車両上に支持された第２のプロセッサ及び第２の通信回路を含む、請求項１に記載のシステム。
【請求項３】
前記第１の乗り物車両及び前記第２の乗り物車両を互いに機械的に連結する連動システムを備え、該連動システムは、前記第１の乗り物車両、前記第２の乗り物車両、又はこれらの両方に配置された１又は２以上のロックを含む、請求項１に記載のシステム。
【請求項４】
前記制御回路は、前記第１の乗り物車両及び前記第２の乗り物車両を、互いに連結された時に同期的に動き、互いに分離された時に非同期的に動くように制御するように構成される、請求項１に記載のシステム。
【請求項５】
前記第１の乗り物車両及び前記第２の乗り物車両は、互いに連結された時に、共通内部空間を定める統一乗り物車両を形成する、請求項１に記載のシステム。
【請求項６】
前記乗り物の途中で、前記第１の乗り物車両、前記第２の乗り物車両、又はこれらの両方に連結して前記統一乗り物車両を形成し、前記第１の乗り物車両、前記第２の乗り物車両、又はこれらの両方から分離するように構成された障壁を備える、請求項５に記載のシステム。
【請求項７】
前記１又は２以上のイベントは、シミュレートした衝突を含み、前記制御回路は、前記シミュレートした衝突と連動して前記第１の乗り物車両及び前記第２の乗り物車両に互いに分離するように指示するように構成される、請求項１に記載のシステム。
【請求項８】
複数の乗り物車両と、
１又は２以上のロックを含む連動システムと、
制御回路と、
を備えたシステムであって、
前記複数の乗り物車両のうちの少なくとも１つの乗り物車両は、前記１又は２以上のロックのうちの少なくとも１つのロックを含み、
前記制御回路は、乗り物の途中で前記複数の乗り物車両の各乗り物車両の動きを制御するとともに、前記乗り物の途中で前記複数の乗り物車両を互いに連結する連結動作を実行して、前記乗り物の途中で前記複数の乗り物車両を互いに分離する切り離し動作を実行するように前記連動システムの前記１又は２以上のロックを制御するように構成される、システム。
【請求項９】
前記制御回路は、前記複数の乗り物車両の各乗り物車両の前記動きを制御するとともに、前記乗り物の途中でイベントと連動して少なくとも前記連結動作及び前記切り離し動作を実行するように前記連動システムの前記１又は２以上のロックを制御するように構成される、請求項８に記載のシステム。
【請求項１０】
前記イベントは、シミュレートした衝突を含み、前記制御回路は、前記シミュレートした衝突と連動して前記複数の乗り物車両を互いに分離するように制御するように構成される、請求項９に記載のシステム。
【請求項１１】
前記制御回路は、複数のプロセッサ及び複数の通信装置を含み、前記複数の乗り物車両の各乗り物車両は、前記複数のプロセッサのうちの少なくとも１つのプロセッサを含み、前記複数の乗り物車両の各乗り物車両は、前記複数の通信装置のうちの少なくとも１つの通信装置を含む、請求項８に記載のシステム。
【請求項１２】
前記制御回路は、前記複数の乗り物車両の各乗り物車両を、互いに連結された時に同期的に動き、互いに分離された時に非同期的に動くように制御するように構成される、請求項８に記載のシステム。
【請求項１３】
前記複数の乗り物車両は、互いに連結された時に、共通内部空間を定める統一乗り物車両を形成する、請求項８に記載のシステム。
【請求項１４】
前記乗り物の途中で前記複数の乗り物車両のうちの少なくとも１つの乗り物車両に少なくとも連結し、前記乗り物の途中で前記複数の乗り物車両のうちの前記少なくとも１つの乗り物車両から分離するように構成された障壁又はカバーを備える、請求項８に記載のシステム。
【請求項１５】
制御回路を介して、乗り物の途中で複数の乗り物車両の動きを制御するステップと、
前記制御回路を介して、連動システムの１又は２以上のロックを制御するステップと、
を含む方法であって、
前記複数の乗り物車両のうちの少なくとも１つの乗り物車両は、前記１又は２以上のロックのうちの少なくとも１つのロックを含み、前記方法は、
前記複数の乗り物車両の前記動きの制御、及び前記連動システムの前記１又は２以上のロックの前記制御を介して、前記乗り物の途中で前記複数の乗り物車両を互いに連結する連結動作、前記乗り物の途中で前記複数の乗り物車両を互いに分離する切り離し動作、又はこれらの両方を実行するステップをさらに含む、方法。
【請求項１６】
前記乗り物の途中でイベントと連動して前記連結動作、前記切り離し動作、又はこれらの両方を実行するステップを含む、請求項１５に記載の方法。
【請求項１７】
前記制御回路を介して、前記複数の乗り物車両のうちの第１の乗り物車両及び前記複数の乗り物車両のうちの第２の乗り物車両を、前記第１の乗り物車両及び前記第２の乗り物車両が互いに連結されたことに応答して同期的に動くように制御するステップを含む、請求項１５に記載の方法。
【請求項１８】
前記制御回路を介して、前記複数の乗り物車両のうちの第１の乗り物車両及び前記複数の乗り物車両のうちの第２の乗り物車両を、前記第１の乗り物車両及び前記第２の乗り物車両が互いに分離されたことに応答して非同期的に動くように制御するステップを含む、請求項１５に記載の方法。
【請求項１９】
前記複数の乗り物車両は、２つよりも多くの乗り物車両を含み、前記方法は、前記複数の乗り物車両の前記動きの制御、及び前記連動システムの前記１又は２以上のロックの前記制御を介して、前記複数の乗り物車両の各乗り物車両が前記複数の乗り物車両の他の全ての乗り物車両から分離されるまで逐次的切り離し動作を実行するステップを含む、請求項１５に記載の方法。
【請求項２０】
前記制御回路を介して、前記乗り物の途中で前記複数の乗り物車両のうちの少なくとも１つの乗り物車両に連結し、又は前記乗り物の途中で前記複数の乗り物車両のうちの前記少なくとも１つの乗り物車両から分離するように障壁又はカバーの動きを制御するステップを含む、請求項１５に記載の方法。
【外国語明細書】
2020110647000001.pdf